(57)【要約】【課題】  本発明の課題は、過熱による蓄熱材の劣化を防止することができる空気調和装置１を提供することにある。【解決手段】  空気調和装置１は、冷媒回路１０を備える。冷媒回路１０は、圧縮機１１１、蓄熱用熱交換器１４１、ガス側冷媒配管１５４、および冷却手段１４３を有する。蓄熱用熱交換器１４１は、吐出冷媒に含まれる温熱を蓄熱材に蓄積させるための熱交換器である。ガス側冷媒配管１５４は、蓄熱用熱交換器１４１のガス側に配管接続される。また、このガス側冷媒配管１５４は、吐出冷媒を蓄熱用熱交換器１４１に導く役割を担う。冷却手段１４３は、ガス側冷媒配管１５４に流れる吐出冷媒を冷却することができる。【選択図】      図１
2005337662.tif 000002
【特許請求の範囲】
【請求項１】
圧縮機（１１１）と、
前記圧縮機から吐出されたガス状の冷媒である吐出冷媒に含まれる温熱を蓄熱材に蓄積させるための蓄熱用熱交換器（１４１）と、
前記蓄熱用熱交換器のガス側に配管接続され、前記吐出冷媒を前記蓄熱用熱交換器に導くためのガス側冷媒配管（１５４）と、
前記ガス側冷媒配管に流れる前記吐出冷媒を冷却可能である冷却手段（１４３）と、
を有する冷媒回路（１０）を備える、空気調和装置（１）。
【請求項２】
前記冷媒回路は、前記蓄熱用熱交換器の液側に配管接続され、前記蓄熱用熱交換器において凝縮された冷媒である凝縮冷媒を排出するための液側冷媒配管（１５５）をさらに有し、
前記冷却手段は、前記ガス側冷媒配管に流れる吐出冷媒と前記液側冷媒配管に流れる凝縮冷媒とを熱交換させる二重管熱交換器である、
請求項１に記載の空気調和装置。
【請求項３】
前記冷媒回路は、前記蓄熱用熱交換器の液側から前記液側冷媒配管を通じて前記二重管熱交換器に向かって流れる前記凝縮冷媒を減圧可能である減圧機構（ＥＶ２）をさらに有する、
請求項２に記載の空気調和装置。
【発明の詳細な説明】
【技術分野】
【０００１】
本発明は、蓄熱機能を有する空気調和装置に関する。
【背景技術】
【０００２】
従来、圧縮機から吐出された冷媒（以下、吐出冷媒という）に含まれる温熱を蓄熱材に蓄積する温蓄熱運転モードと、温蓄熱運転によって蓄積した温熱を利用して暖房運転を行いつつ室外熱交換器のデフロストを行う暖房兼デフロスト運転モードとを有する空気調和装置がある（例えば、特許文献１参照）。ところで、このような空気調和装置に用いられる蓄熱材としては、例えば、ポリエチレングリコール、トレイトール、パラフィン、酢酸ナトリウム３水和物、硫酸ナトリウム１０水和物などがよく知られている。これらの蓄熱材は、吐出冷媒の温熱を主に潜熱として蓄積することができることを特徴としている。
【特許文献１】特開平５−２６５４２号公報
【発明の開示】
【発明が解決しようとする課題】
【０００３】
ところが、これらの蓄熱材は過度に熱しすぎると徐々に劣化し、最終的には蓄積できる温熱量が減少するという不具合が起きるおそれがある。本発明の課題は、吐出冷媒の過熱による蓄熱材の劣化を防止することができる空気調和装置を提供することにある。
【課題を解決するための手段】
【０００４】
第１発明に係る空気調和装置は、冷媒回路を備える。冷媒回路は、圧縮機、蓄熱用熱交換器、ガス側冷媒配管、および冷却手段を有する。蓄熱用熱交換器は、吐出冷媒に含まれる温熱を蓄熱材に蓄積させるための熱交換器である。なお、ここにいう「吐出冷媒」とは、圧縮機から吐出されたガス状の冷媒をいう。また、ここにいう「蓄熱材」とは、例えば、ポリエチレングリコール、トレイトール、パラフィン、酢酸ナトリウム３水和物、硫酸ナトリウム１０水和物などである。ガス側冷媒配管は、蓄熱用熱交換器のガス側に配管接続される。また、このガス側冷媒配管は、吐出冷媒を蓄熱用熱交換器に導く役割を担う。冷却手段は、ガス側冷媒配管に流れる吐出冷媒を冷却することができる。
【０００５】
この空気調和装置では、冷却手段が、ガス側冷媒配管に流れる吐出冷媒を冷却することができる。このため、この空気調和装置では、吐出冷媒により蓄熱材が過度に加熱されるのを防ぐことができる。したがって、この空気調和装置では、吐出冷媒の過熱による蓄熱材の劣化を防止することができる。
第２発明に係る空気調和装置は、第１発明に係る空気調和装置であって、冷媒回路は、液側冷媒配管をさらに有する。液側冷媒配管は、蓄熱用熱交換器の液側に配管接続される。また、この液側冷媒配管は、凝縮冷媒を排出する役目を担う。なお、ここにいう「凝縮冷媒」とは、蓄熱用熱交換器において凝縮された冷媒をいう。そして、冷却手段は、二重管熱交換器である。二重管熱交換器では、ガス側冷媒配管に流れる吐出冷媒と液側冷媒配管に流れる凝縮冷媒とが熱交換される。
【０００６】
この空気調和装置では、二重管熱交換器において、ガス側冷媒配管に流れる吐出冷媒と液側冷媒配管に流れる凝縮冷媒とが熱交換される。このため、この空気調和装置では、チラーなど、他の冷却機器を導入することなく吐出冷媒を冷却し、蓄熱材の劣化を防止することができる。したがって、この空気調和装置では、低コストで本発明の課題を克服することができる。
【０００７】
第３発明に係る空気調和装置は、第２発明に係る空気調和装置であって、冷媒回路は、減圧機構をさらに有する。減圧機構は、蓄熱用熱交換器の液側から液側冷媒配管を通じて二重管熱交換器に向かって流れる凝縮冷媒を減圧することができる。
この空気調和装置では、減圧機構が、蓄熱用熱交換器の液側から液側冷媒配管を通じて二重管熱交換器に向かって流れる凝縮冷媒を減圧することができる。このため、この空気調和装置では、凝縮冷媒が二重管熱交換器に流入する前に凝縮冷媒をさらに低温することができる。したがって、この空気調和装置では、吐出冷媒の冷却効率を向上させることができる。
【発明の効果】
【０００８】
第１発明に係る空気調和装置では、吐出冷媒により蓄熱材が過度に加熱されるのを防止することができる。したがって、この空気調和装置では、吐出冷媒の過熱による蓄熱材の劣化を防止することができる。
第２発明に係る空気調和装置では、チラーなど、他の冷却機器を導入することなく吐出冷媒を冷却し、蓄熱材の劣化を防止することができる。したがって、この空気調和装置では、低コストで本発明の課題を克服することができる。
【０００９】
第３発明に係る空気調和装置では、凝縮冷媒が二重管熱交換器に流入する前に凝縮冷媒をさらに低温することができる。したがって、この空気調和装置では、吐出冷媒の冷却効率を向上させることができる。
【発明を実施するための最良の形態】
【００１０】
［空気調和装置の構成］
本発明の一実施形態にかかる空気調和装置１の概略冷媒回路１０を図１に示す。
この空気調和装置１は、冷房運転および暖房運転のみならずデフロスト運転、暖房兼温蓄熱運転、および暖房兼デフロスト運転も可能な空気調和装置（冬季などにおいて気温が氷点下となるような寒冷地向けの空気調和装置）であって、主冷媒回路１ａ、バイパスライン１ｂ、および蓄熱ライン１ｃから構成される冷媒回路１０を備えている。
【００１１】
主冷媒回路１ａには主に、圧縮機１１１、四路切換弁１１３、室外熱交換器１１２、第１電動膨張弁ＥＶ１、室内熱交換器１７１、第１開閉機構ＯＣ１、および気液分離器１１４が配備されており、各機器は、図１に示されるように、冷媒配管を介して接続されている。
バイパスライン１ｂは、一端が四路切換弁１１３と室外熱交換器１１２のガス側とを接続する冷媒配管（以下、第１室外側冷媒ガス配管という）に、他端が第１開閉機構ＯＣ１と室内熱交換器１７１のガス側とを接続する冷媒配管（以下、室内側冷媒ガス配管という）に配管接続されることによって主冷媒回路１ａと接続されている。なお、以下、バイパスライン１ｂと第１室外側冷媒ガス配管との接続点を第１ＢＬ接続点ＢＣ１といい、バイパスライン１ｂと室内側冷媒ガス配管との接続点を第２ＢＬ接続点ＢＣ２という。そして、このバイパスライン１ｂには、第２開閉機構ＯＣ２が配備されている。
【００１２】
蓄熱ライン１ｃは、一端が室外熱交換器１１２の液側と第１電動膨張弁ＥＶ１とを接続する冷媒配管（以下、室外側冷媒液配管という）に、他端が第１開閉機構ＯＣ１と四路切換弁１１３とを接続する冷媒配管（以下、第２室外側冷媒ガス配管という）に配管接続されることによって主冷媒回路１ａと接続されている。なお、以下、蓄熱ライン１ｃと室外側冷媒液配管との接続点を第１ＨＬ接続点ＨＣ１といい、蓄熱ライン１ｃと第２室外側冷媒ガス配管との接続点を第２ＨＬ接続点ＨＣ２という。そして、この蓄熱ライン１ｃには、二重管熱交換器１４３、蓄熱用熱交換器１４１、および第２電動膨張弁ＥＶ２が配備されている。なお、この蓄熱ライン１ｃでは、第２ＨＬ接続点ＨＣ２と二重管熱交換器１４３の第１ガス側ポートとが第１蓄熱用冷媒ガス配管１５６により、二重管熱交換器１４３の第２ガス側ポートと蓄熱用熱交換器１４１のガス側とが第２蓄熱用冷媒ガス配管１５４により、蓄熱用熱交換器１４１の液側と第２電動膨張弁ＥＶ２とが第１蓄熱用冷媒液配管１５７により、第２電動膨張弁ＥＶ２と二重管熱交換器１４３の第２液側ポートＬＰ２とが第２蓄熱用冷媒液配管１５５により、そして二重管熱交換器１４３の第１液側ポートＬＰ１と第１ＨＬ接続点ＨＣ１とが第３蓄熱用熱交換器１５８によりそれぞれ配管接続されている。
【００１３】
また、本実施形態では、空気調和装置１は、分離型の空気調和装置であって、室内熱交換器１７１、第１電動膨張弁ＥＶ１、冷媒ガス配管１８１、および冷媒液配管１８２を主に有する室内ユニット１７と、蓄熱用熱交換器１４１、蓄熱槽１４２、第２電動膨張弁ＥＶ２、二重管熱交換器１４３、第１開閉機構ＯＣ１、第２開閉機構ＯＣ２、第１冷媒ガス配管１５１、第２冷媒ガス配管１５３、および冷媒液配管１５２を主に有する蓄熱ユニット１４と、圧縮機１１１、四路切換弁１１３、室外熱交換器１１２、気液分離器１１４、第１冷媒ガス配管１２１、第２冷媒ガス配管１２３、および冷媒液配管１２２を主に有する室外ユニット１１と、室内ユニット１７の冷媒液配管１８２と蓄熱ユニット１４の冷媒液配管１５２とを接続する第１冷媒連絡配管１８７と、室内ユニット１７の冷媒ガス配管１８１と蓄熱ユニット１４の冷媒ガス配管１５１とを接続する第２冷媒連絡配管１８６と、蓄熱ユニット１４の冷媒液配管１５２と室外ユニット１１の冷媒液配管１２２とを接続する第３冷媒連絡配管１３７と、蓄熱ユニット１４の第１冷媒ガス配管１５１と室外ユニット１１の第１冷媒ガス配管１２１とを接続する第４冷媒連絡配管１３６と、蓄熱ユニット１４の第２冷媒ガス配管１５３と室外ユニット１１の第２冷媒ガス配管１２３とを接続する第５冷媒連絡配管１３５とから構成されているともいえる。なお、室外ユニット１１の冷媒液配管１２２と第３冷媒連絡配管１３７とは室外ユニット１１の液側閉鎖弁１３３を介して、室外ユニット１１の第１冷媒ガス配管１２１と第４冷媒連絡配管１３６とは室外ユニット１１の第２ガス側閉鎖弁１３２を介して、室外ユニット１１の第２冷媒ガス配管１２３と第５冷媒連絡配管１３５とは室外ユニット１１の第１ガス側閉鎖弁１３１を介してそれぞれ接続されている。
【００１４】
なお、このように本実施形態にかかる空気調和装置１をユニット単位で見た場合、第１ＢＬ接続点ＢＣ１は室外ユニット１１に属し、第２ＢＬ接続点ＢＣ２、第１ＨＬ接続点ＨＣ１、および第２ＨＬ接続点ＨＣ２は蓄熱ユニット１４に属する。
（１）室内ユニット
室内ユニット１７は、主に、室内熱交換器１７１、第１電動膨張弁ＥＶ１、室内ファン（図示せず）、冷媒ガス配管１８１、および冷媒液配管１８２を有している。
【００１５】
室内熱交換器１７１は、空調室内の空気である室内空気と冷媒との間で熱交換をさせるための熱交換器である。
室内ファンは、ユニット１７内に空調室内の空気を取り込み、室内熱交換器１７１を介して冷媒と熱交換した後の空気である調和空気を再び空調室内への送り出すためファンである。
【００１６】
そして、この室内ユニット１７は、このような構成を採用することによって、冷房運転時には室内ファンにより内部に取り込んだ室内空気と室内熱交換器１７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器１７１を流れるガス冷媒とを熱交換させて調和空気（暖気）を生成することが可能となっている。
【００１７】
（２）蓄熱ユニット
蓄熱ユニット１４は、主に、蓄熱用熱交換器１４１、蓄熱槽１４２、第２電動膨張弁ＥＶ２、二重管熱交換器１４３、第１開閉機構ＯＣ１、第２開閉機構ＯＣ２、第１冷媒ガス配管１５１、第２冷媒ガス配管１５３、および冷媒液配管１５２を有している。
蓄熱用熱交換器１４１は、蓄熱槽１４２に蓄えられている蓄熱材（例えば、ポリエチレングリコール、トレイトール、パラフィン、酢酸ナトリウム３水和物、硫酸ナトリウム１０水和物など）と冷媒との間で熱交換をさせるための熱交換器である。
【００１８】
二重管熱交換器１４３は、暖房兼温蓄熱運転時において圧縮機１１１から四路切換弁１１３、第２ガス側閉鎖弁１３２、および第２ＨＬ接続点ＨＣ２を経由して蓄熱用熱交換器４１４に向かって吐出される高温のガス冷媒を、蓄熱用熱交換器１４１において凝縮された低温の液冷媒により冷却させるための熱交換器である。
第１開閉機構ＯＣ１は、開閉可能な第１電磁弁ＳＶ１および第１逆止弁１６１を有している。この第１開閉機構ＯＣ１では、第１電磁弁ＳＶ１と第１逆止弁１６１とが冷媒流れに対して並列に配置される。また、この第１逆止弁１６１は、各ユニット１１，１４，１７が接続された状態において第２ガス側閉鎖弁１３２から第２ＢＬ接続点ＢＣ２に向かう冷媒の流れのみを許容するように取り付けられている。
【００１９】
第２開閉機構ＯＣ２は、開閉可能な第２電磁弁ＳＶ２および第２逆止弁１６２を有している。この第２開閉機構ＯＣ２では、第２電磁弁ＳＶ２と第２逆止弁１６２とが冷媒流れに対して直列に配置される。なお、この際、第２電磁弁ＳＶ２は第１ＢＬ接続点ＢＣ１側に、第２逆止弁１６２は第２ＢＬ接続点ＢＣ２側に配置される。また、この第２逆止弁１６２は、各ユニット１１，１４，１７が接続された状態において第１ガス側閉鎖弁１３１から第２ＢＬ接続点ＢＣ２に向かう冷媒の流れのみを許容するように取り付けられている。
【００２０】
そして、この蓄熱ユニット１４は、このような構成を採用することによって、暖房兼温蓄熱運転時には蓄熱用熱交換器１４１を流れるガス冷媒の温熱を蓄熱材に蓄積させ、暖房兼デフロスト運転時には蓄熱用熱交換器１４１を流れる液冷媒に蓄熱材に蓄積される温熱を供給することによってその液冷媒を蒸発させることが可能となっている。なお、この蓄熱材は、融点がおよそ３０℃から４０℃であり、潜熱として温熱を蓄積することが可能となっている。
【００２１】
（３）室外ユニット
室外ユニット１１は、主に、四路切換弁１１３、気液分離器１１４、圧縮機１１１、室外熱交換器１１２、第１冷媒ガス配管１２１、第２冷媒ガス配管１２３、および冷媒液配管１２２を有している。
圧縮機１１１は、吸入管１２５を流れる低圧のガス冷媒を吸入して圧縮した後、吐出管１２６に吐出するための機器である。本実施形態において、圧縮機１１１は、スクロール式やロータリ式等の容積式の圧縮機である。
【００２２】
四路切換弁１１３は、各運転に対応して、冷媒の流れ方向を切り換えるための弁であり、冷房運転時、デフロスト運転時、および暖房兼デフロスト運転時には圧縮機１１１の吐出管１２６と室外熱交換器１１２のガス側とを接続するとともに圧縮機１１１の吸入管１２５と第２ガス側閉鎖弁１３２とを気液分離器１１４を介して接続し、暖房運転時および暖房兼温蓄熱運転時には圧縮機１１１の吐出管１２６と第２ガス側閉鎖弁１３２とを接続するとともに圧縮機１１１の吸入管１２５と室外熱交換器１１２のガス側とを気液分離器１１４を介して接続することが可能である。
【００２３】
室外熱交換器１１２は、冷房運転時において、圧縮機１１１から吐出された高圧のガス冷媒を空調室外の空気を熱源として凝縮させることが可能であり、暖房運転時には室内熱交換器１７１から戻る液冷媒を、暖房兼温蓄熱運転時には室内熱交換器１７１および蓄熱用熱交換器１４１から戻る液冷媒を蒸発させることが可能である。
［空気調和装置の動作］
空気調和装置１の運転動作について、図１および図２を用いて説明する。この空気調和装置１は、上述したように冷房運転、暖房運転、暖房兼温蓄熱運転、デフロスト運転、および暖房兼デフロスト運転を行うことが可能である。
【００２４】
（１）冷房運転
冷房運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は過冷却度制御（以下、ＳＣ制御という）され、第２電動膨張弁ＥＶ２は全閉状態とされる。なお、第１電動膨張弁ＥＶ１がＳＣ制御されると、第１電動膨張弁ＥＶ１の弁開度が、室外熱交換器１１２のガス側における冷媒の温度から室外熱交換器１１２の液側における冷媒の温度を引いた差分が一定の負の値（例えば、−５℃）となるように調節される。また、第１電磁弁ＳＶ１はＯＮされて開状態とされ、第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００２５】
この冷媒回路１０の状態で、圧縮機１１１を起動すると、ガス冷媒が、圧縮機１１１に吸入されて圧縮された後、吐出管１２６、四路切換弁１１３、および第１ＢＬ接続点ＢＣ１を経由して室外熱交換器１１２に送られ、室外熱交換器１１２において凝縮されて液冷媒となる。
そして、この液冷媒は、液側閉鎖弁１３３および第１ＨＬ接続点ＨＣ１を経由して第１電動膨張弁ＥＶ１に送られる。第１電動膨張弁ＥＶ１に送られた液冷媒は、減圧された後に室内熱交換器１７１に供給され、室内空気を冷却するとともに蒸発されてガス冷媒となる。
【００２６】
そして、そのガス冷媒は、第２ＢＬ接続点ＢＣ２、第１電磁弁ＳＶ１、第２ＨＬ接続点ＨＣ２、第２ガス側閉鎖弁１３２、四路切換弁１１３、および気液分離器１１４を経由して、再び、圧縮機１１１に吸入される。このようにして、冷房運転が行われる。
（２）暖房運転
暖房運転時は、四路切換弁１１３が図１の破線で示される状態、すなわち、圧縮機１１１の吐出側が第２ガス側閉鎖弁１３２に接続され、かつ、圧縮機１１１の吸入側が気液分離器１１４を介して室外熱交換器１１２のガス側に接続された状態となっている。また、第１電動膨張弁ＥＶ１はＳＣ制御され、第２電動膨張弁ＥＶ２は全閉状態とされる。なお、第１電動膨張弁ＥＶ１がＳＣ制御されると、第１電動膨張弁ＥＶ１の弁開度が、室内熱交換器１７１のガス側における冷媒の温度から室内熱交換器１７１の液側における冷媒の温度を引いた差分が一定の負の値（例えば、−５℃）となるように調節される。また、第１電磁弁ＳＶ１および第２電磁弁ＳＶ２は、ＯＦＦされて閉状態とされる（図２参照）。そして、液側閉鎖弁１３３、第１ガス側閉鎖弁１３１、および第２ガス側閉鎖弁１３２は開状態とされる。
【００２７】
この冷媒回路１０の状態で、圧縮機１１１を起動すると、ガス冷媒が、圧縮機１１１に吸入されて圧縮された後、吐出管１２６、四路切換弁１１３、第２ガス側閉鎖弁１３２、第２ＨＬ接続点ＨＣ２、第１逆止弁１６１、および第２ＢＬ接続点ＢＣ２を経由して、室内熱交換器１７１に供給される。
そして、そのガス冷媒は、室内熱交換器１７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１および液側閉鎖弁１３３を経由して室外熱交換器１１２に送られて、室外熱交換器１１２において蒸発されてガス冷媒となる。このガス冷媒は、第１ＢＬ接続点ＢＣ１、四路切換弁１１３、および気液分離器１１４を経由して、吸入管１２５に戻り、再び、圧縮機１１１に吸入される。このようにして、暖房運転が行われる。
【００２８】
（３）暖房兼温蓄熱運転
暖房兼温蓄熱運転時は、四路切換弁１１３が図１の破線で示される状態、すなわち、圧縮機１１１の吐出側が第２ガス側閉鎖弁１３２に接続され、かつ、圧縮機１１１の吸入側が気液分離器１１４を介して室外熱交換器１１２のガス側に接続された状態となっている。また、第１電動膨張弁ＥＶ１はＳＣ制御され、第２電動膨張弁ＥＶ２は所定の開度を維持する状態とされる。なお、第１電動膨張弁ＥＶ１がＳＣ制御されると、第１電動膨張弁ＥＶ１の弁開度が、室内熱交換器１７１のガス側における冷媒の温度から室内熱交換器１７１の液側における冷媒の温度を引いた差分が一定の負の値（例えば、−５℃）となるように調節される。また、第１電磁弁ＳＶ１および第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００２９】
この冷媒回路１０の状態で、圧縮機１１１を起動すると、ガス冷媒が、圧縮機１１１に吸入されて圧縮された後、吐出管１２６、四路切換弁１１３、および第２ガス側閉鎖弁１３２を経由して第２ＨＬ接続点ＨＣ２に至る。そして、第２ＨＬ接続点ＨＣ２に至ったガス冷媒は、その後、第１逆止弁１６１および第２ＢＬ接続点ＢＣ２を経由して室内熱交換器１７１に向かう経路である第１経路と、蓄熱用熱交換器１４１に向かう経路である第２経路とに分配される。
【００３０】
第１経路に分配されたガス冷媒は、室内熱交換器１７１において室内空気を加熱するとともに凝縮されて液冷媒となる。この液冷媒は、第１電動膨張弁ＥＶ１に送られる。第１電動膨張弁ＥＶ１に送られた液冷媒は、減圧された後に第１ＨＬ接続点ＨＣ１に送られる。
一方、第２経路に分配されたガス冷媒は、二重管熱交換器１４３を経由して蓄熱用熱交換器１４１に供給される。ガス冷媒は、二重管熱交換器１４３を経由する際、蓄熱用熱交換器１４１において先に凝縮され第２電動膨張弁ＥＶ２により先に減圧された低温の液冷媒によって所定の温度だけ冷却される。そして、蓄熱用熱交換器１４１に供給されたガス冷媒は、蓄熱用熱交換器１４１において蓄熱材を加熱するとともに凝縮されて液冷媒となる。この際、蓄熱材は、固相から液相に相転移し、ガス冷媒から供給される温熱を主に潜熱として蓄積する。その後、この液冷媒は、第２電動膨張弁ＥＶ２に送られ、第２電動膨張弁ＥＶ２において減圧された後に二重管熱交換器１４３を経由して第１ＨＬ接続点ＨＣ１に至る。
【００３１】
そして、第１電動膨張弁ＥＶ１を経由して第１ＨＬ接続点ＨＣ１に至った液冷媒と、第２電動膨張弁ＥＶ２を経由して第１ＨＬ接続点ＨＣ１に至った液冷媒とは、第１ＨＬ接続点において合流した後、液側閉鎖弁１３３を経由して室外熱交換器１１２に送られ、室外熱交換器１１２において蒸発されてガス冷媒となる。このガス冷媒は、第１ＢＬ接続点ＢＣ１、四路切換弁１１３、および気液分離器１１４を経由して、吸入管１２５に戻り、再び、圧縮機１１１に吸入される。
【００３２】
なお、この暖房兼温蓄熱運転は、主に、空気調和装置１の起動時に行われ、蓄熱槽１４２に設けられている蓄熱材の温度検出用の温度センサの値が所定値以上になると自動的に暖房運転に切り換わるようになっている。
（４）デフロスト運転
デフロスト運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は所定の開度を維持する状態とされ、第２電動膨張弁ＥＶ２は全閉状態とされる。また、第１電磁弁ＳＶ１はＯＮされて開状態とされ、第２電磁弁ＳＶ２はＯＦＦされて閉状態とされる（図２参照）。そして、液側閉鎖弁１３３、第１ガス側閉鎖弁１３１、および第２ガス側閉鎖弁１３２は開状態とされる。
【００３３】
この冷媒回路１０の状態で、圧縮機１１１を起動すると、ガス冷媒が、圧縮機１１１に吸入されて圧縮された後、吐出管１２６、四路切換弁１１３、および第１ＢＬ接続点ＢＣ１を経由して室外熱交換器１１２に送られ、室外熱交換器１１２の外表面に付着している霜を融解するとともに凝縮されて液冷媒となる。
そして、室外熱交換器１１２で凝縮された液冷媒は、液側閉鎖弁１３３および第１ＨＬ接続点ＨＣ１を経由して第１電動膨張弁ＥＶ１に送られる。第１電動膨張弁ＥＶ１に送られた液冷媒は、減圧された後に室内熱交換器１７１に供給され、室内熱交換器１７１の周囲の空気を冷却するとともに蒸発されてガス冷媒となる。なお、この際、空調室内を積極的に冷房しないように、室内ファンが駆動しないように制御される。
【００３４】
そして、そのガス冷媒は、第２ＢＬ接続点ＢＣ２、第１電磁弁ＳＶ１、第２ＨＬ接続点ＨＣ２、第２ガス側閉鎖弁１３２、四路切換弁１１３、および気液分離器１１４を経由して、再び、圧縮機１１１に吸入される。
なお、このデフロスト運転は、室外熱交換器１１２の外表面の温度や外気温などのパラメータに基づいて切り換わるようなっている。また、このデフロスト運転は、室内熱交換器１７１に霜が付着しないように、暖房運転などとの間で間欠的に行われる。
【００３５】
（５）暖房兼デフロスト運転
暖房兼デフロスト運転時は、四路切換弁１１３が図１の実線で示される状態、すなわち、圧縮機１１１の吐出管１２６が室外熱交換器１１２のガス側に接続され、かつ、圧縮機１１１の吸入管１２５が気液分離器１１４を介して第２ガス側閉鎖弁１３２側に接続された状態となる。また、第１電動膨張弁ＥＶ１は全開状態とされ、第２電動膨張弁ＥＶ２は高圧制御（以下、ＨＰ制御という）される。なお、第２電動膨張弁ＥＶ２がＨＰ制御されると、第２電動膨張弁ＥＶ２の弁開度が、圧縮機１１１の吐出圧力が所定値以上となるように調節される。また、第１電磁弁ＳＶ１はＯＦＦされて閉状態とされ、第２電磁弁ＳＶ２はＯＮされて開状態とされる（図２参照）。そして、液側閉鎖弁１３３、第１ガス側閉鎖弁１３１、および第２ガス側閉鎖弁１３２は開状態とされる。
【００３６】
この冷媒回路１０の状態で、圧縮機１１１を起動すると、ガス冷媒が、圧縮機１１１に吸入されて圧縮された後、吐出管１２６および四路切換弁１１３を経由して第１ＢＬ接続点ＢＣ１に至る。そして、第１ＢＬ接続点ＢＣ１に至ったガス冷媒は、その後、第１ガス側閉鎖弁１３１、第２切換機構ＯＣ２、および第２ＢＬ接続点ＢＣ２を経由して室内熱交換器１７１に向かう経路である第３経路と、室外熱交換器１１２に向かう経路である第４経路とに分配される。
【００３７】
第３経路に分配されたガス冷媒は、室内熱交換器１７１において室内空気を加熱するとともに凝縮されて液冷媒となる。この液冷媒は、第１電動膨張弁ＥＶ１を経由して第１ＨＬ接続点ＨＣ１に至る。
一方、第４経路に分配されたガス冷媒は、室外熱交換器１１２の外表面に付着している霜を融解するとともに凝縮されて液冷媒となる。この液冷媒は、液側閉鎖弁１３３を経由して第１ＨＬ接続点ＨＣ１に至る。
【００３８】
そして、第１電動膨張弁ＥＶ１を経由して第１ＨＬ接続点ＨＣ１に至った液冷媒と、液側閉鎖弁１３３を経由して第１ＨＬ接続点ＨＣ１に至った液冷媒とは、第１ＨＬ接続点ＨＣ１において合流した後、二重管熱交換器１４３を経由して第２電動膨張弁ＥＶ２に送られる。第２電動膨張弁ＥＶ２に送られた液冷媒は、減圧された後に蓄熱用熱交換器１４１に送られ、蓄熱用熱交換器１４１において温熱を蓄積している蓄熱材によって蒸発されてガス冷媒となる。この際、蓄熱材は、蓄熱していた温熱を放出するため、液相から固相に相転移することとなる。その後、そのガス冷媒は、第２ＨＬ接続点ＨＣ２、第２ガス側閉鎖弁１３２、四路切換弁１１３、および気液分離器１１４を経由して、吸入管１２５に戻り、再び、圧縮機１１１に吸入される。
【００３９】
なお、この冷媒回路１０には、暖房兼デフロスト運転時において室外熱交換器１１２に液冷媒が溜まるように冷媒が充填されている。このため、他の運転時においては冷媒が余剰となるが、この余剰冷媒は、主に、気液分離器１１４に貯留される。
また、この暖房兼デフロスト運転は、室外熱交換器１１２の外表面の温度や外気温などのパラメータに基づいて切り換わるようなっている。また、このデフロスト運転は、所定時間（例えば、１０分間）継続して行われる。
【００４０】
［空気調和装置の特徴］
（１）
本実施の形態に係る空気調和装置１では、二重管熱交換器１４３において、圧縮機１１１から吐出された高温のガス冷媒は、二重管熱交換器１４３を経由する際、蓄熱用熱交換器１４１において先に凝縮され第２電動膨張弁ＥＶ２により先に減圧された低温の液冷媒によって所定の温度だけ冷却される。このため、この空気調和装置１では、ガス冷媒により蓄熱材が過度に加熱されるのを防ぐことができる。したがって、この空気調和装置１では、蓄熱材の劣化を防止することができる。
【００４１】
（２）
本実施の形態に係る空気調和装置１では、電動膨張弁ＥＶ２が、蓄熱用熱交換器１４３の液側から二重管熱交換器１４３に向かって流れる液冷媒を減圧することができる。このため、この空気調和装置１では、液冷媒が二重管熱交換器１４３に流入する前に液冷媒をさらに低温することができる。したがって、この空気調和装置１では、高温のガス冷媒を効率よく冷却させることができる。
【００４２】
［変形例］
先の実施の形態に係る空気調和装置１では、暖房兼温蓄熱運転時において圧縮機１１１から四路切換弁１１３、第２ガス側閉鎖弁１３２、および第２ＨＬ接続点ＨＣ２を経由して蓄熱用熱交換器４１４に向かって吐出される高温のガス冷媒を二重管熱交換器１４３を利用して冷却したが、これに代えて、チラーなどの冷却機器を設けてもかまわない。
【産業上の利用可能性】
【００４３】
本発明に係る空気調和装置は、過熱による蓄熱材の劣化を防止することができるという特徴を有し、蓄熱材に温熱を蓄積させる機能を有する空気調和装置に適用すると好適である。
【図面の簡単な説明】
【００４４】
【図１】本発明に係る空気調和装置の概略冷媒回路。
【図２】本発明に係る空気調和装置の各運転時における電動膨張弁および電磁弁の状態を示す表。
【符号の説明】
【００４５】
１      空気調和装置
１０      冷媒回路
１１１      圧縮機
１４１      蓄熱用熱交換器
１４３      二重管熱交換器
１５４      第２蓄熱用冷媒ガス配管（ガス側冷媒配管）
１５５      第２蓄熱用冷媒液配管（液側冷媒配管）
ＥＶ２      第２電動膨張弁（減圧機構）
【図１】
2005337662.tif 000003
【図２】
2005337662.tif 000004